(57)【要約】【課題】１対の冷陰極管ランプを接続部によって電気的に接続した構成の光源装置において、冷陰極管ランプと接続部との間にアーク放電が発生しても、接続部が焼損するのを防ぐ。【解決手段】光源装置１は、１対の冷陰極管ランプ２ａ、２ｂと、１対の冷陰極管ランプ２ａ、２ｂを電気的に接続する接続部３と、１対の冷陰極管ランプ２ａ、２ｂに高周波電圧を供給するインバータ３１と、マイクロコンピュータ３６とを備える。また、光源装置１は、接続部３の電圧を検出する電圧検出回路３４と、電圧検出回路３４の検出した電圧に基いて、接続部３の電圧が所定値以上に上昇したか否かを検出する上昇検出回路３５とを備える。マイクロコンピュータ３６は、上昇検出回路３５により接続部３の電圧が所定値以上に上昇したことが検出されると、インバータ３１による高周波電圧の生成を停止させて、冷陰極管ランプ２ａ、２ｂに高周波電圧が供給されるのを停止させる。【選択図】図２
2010086921.tif 000002
【特許請求の範囲】
【請求項１】
１対の冷陰極管ランプと、前記１対の冷陰極管ランプを電気的に直列に接続する接続部と、前記１対の冷陰極管ランプを点灯させるための高周波電圧を生成するインバータとを備え、前記インバータから前記１対の冷陰極管ランプに高周波電圧が供給されることにより、前記１対の冷陰極管ランプが点灯駆動される光源装置において、
前記接続部の電圧が所定値以上に上昇したか否かを検出する電圧上昇検出手段と、
前記電圧上昇検出手段により前記接続部の電圧が所定値以上に上昇したことが検出されたときに、前記インバータから前記冷陰極管ランプに高周波電圧が供給されるのを停止する保護動作を行う保護手段とを備える、
ことを特徴とする光源装置。
【請求項２】
前記接続部が設けられたランプ接続用基板と、
前記インバータが設けられたインバータ基板とをさらに備え、
前記電圧上昇検出手段は、
前記接続部の電圧を検出し、該検出した電圧をフィードバック信号電圧として出力する電圧検出部と、
前記電圧検出部から出力されたフィードバック信号電圧に基いて、前記接続部の電圧が所定値以上に上昇したか否かを検出する上昇検出部とを有し、
前記電圧検出部は、前記ランプ接続用基板に設けられ、
前記上昇検出部は、前記インバータ基板に設けられ、
前記電圧検出部と前記上昇検出部は、電気ケーブルを介して接続されている、
ことを特徴とする請求項１に記載の光源装置。
【請求項３】
前記電気ケーブルは、フレキシブルフラットケーブルであり、
前記ランプ接続用基板と前記インバータ基板の各々に、前記フレキシブルフラットケーブルを接続するためのコネクタが設けられている、
ことを特徴とする請求項２に記載の光源装置。
【請求項４】
前記１対の冷陰極管ランプ及び接続部を複数組備え、
前記電圧上昇検出手段は、前記複数組の１対の冷陰極管ランプ及び接続部に対応して、前記電圧検出部を複数有し、
前記複数の電圧検出部は、１本のフィードバック信号ラインに並列に接続されており、該フィードバック信号ラインを介して、前記上昇検出部に前記フィードバック信号電圧を出力する、
ことを特徴とする請求項３に記載の光源装置。
【請求項５】
前記複数の電圧検出部は、１本のグランドラインに並列に接続されており、該グランドライン及び前記インバータ基板を介して、グランドに接続されている、
ことを特徴とする請求項４に記載の光源装置。
【発明の詳細な説明】
【技術分野】
【０００１】
本発明は、冷陰極管ランプ（ＣＣＦＬ）を用いた光源装置に関するものである。
【背景技術】
【０００２】
従来から、冷陰極管ランプを用いた光源装置としては、図４に示す構成のものが知られている。図４に示す光源装置７０は、複数の冷陰極管ランプ７１と、冷陰極管ランプ７１同士を電気的に接続する複数の接続部７２と、冷陰極管ランプ７１に高周波電圧を供給するインバータ基板７３とを備えている。各冷陰極管ランプ７１は、その一端側がコネクタ７４及び導電線７５を介してインバータ基板７３に接続されており、その他端側が接続部７２に接続されている。各接続部７２は、金属板により構成されており、１対の冷陰極管ランプ７１ａ、７１ｂを電気的に直列に接続している。
【０００３】
すなわち、光源装置７０は、１対の冷陰極管ランプ７１ａ、７１ｂを１つの接続部７２によって電気的に直列に接続した構成になっている。１対の冷陰極管ランプ７１ａ、７１ｂ、及び１対の冷陰極管ランプ７１ａ、７１ｂを電気的に直列に接続する１つの接続部７２によって、擬似Ｕ字型冷陰極管ランプが構成されている。そして、光源装置７０は、このように接続された１対の冷陰極管ランプ７１ａ、７１ｂ及び１つの接続部７２（擬似Ｕ字型冷陰極管ランプ）を、複数組備えている。
【０００４】
このような構成の光源装置７０は、インバータ基板７３から導電線７５及びコネクタ７４を介して各冷陰極管ランプ７１に高周波電圧を供給（冷陰極管ランプ７１ａと冷陰極管ランプ７１ｂに逆相の高周波電圧を供給）することにより、各冷陰極管ランプ７１を点灯駆動するようになっている。
【０００５】
また、複数の冷陰極管ランプを時分割で順次駆動する光源装置において、各冷陰極管ランプの駆動時に、各冷陰極管ランプの異常を検出するようにしたものが知られている（例えば特許文献１参照）。また、複数の冷陰極管ランプを同時に駆動する光源装置において、複数の冷陰極管ランプに流れる電流の合計電流、及び複数の冷陰極管ランプに流れる電流の差分電流を検出し、それらの検出結果に基いて、冷陰極管ランプの異常を検出するようにしたものが知られている（例えば特許文献２参照）。また、複数のランプを同時に駆動する光源装置において、少なくとも１つのランプに流れる電流が一定基準値以下である場合に、電源電圧を遮断するようにしたものが知られている（例えば特許文献３参照）。また、複数のランプを同時に駆動する光源装置において、各ランプに流れる電流が設定値を超えると、該当するランプに流れる電流を抑制するようにしたものが知られている（例えば特許文献４参照）。また、複数の冷陰極管ランプを備える光源装置において、２本の冷陰極管ランプを導電線で接続して、擬似Ｕ字型冷陰極管ランプを構成しているものが知られている（例えば特許文献５参照）。
【特許文献１】特開２００５−１９７１７７号公報
【特許文献２】特開２００７−２８０８７６号公報
【特許文献３】特開２００４−３１１３９６号公報
【特許文献４】特開２００４−２６５８６８号公報
【特許文献５】特開２００７−２１４０４３号公報
【発明の開示】
【発明が解決しようとする課題】
【０００６】
ところで、上述した従来の光源装置７０においては、１対の冷陰極管ランプ７１ａ、７１ｂを接続部７２によって電気的に接続しているため、冷陰極管ランプ７１ａと接続部７２との接続、又は冷陰極管ランプ７１ｂと接続部７２との接続に接続不良があると、それらの間にアーク放電（スパーク）が発生する。このようなアーク放電が発生すると、通常時の数倍の電圧が発生し、接続部７２が焼損することがある。なお、上述した特許文献１乃至特許文献５に開示の内容を適用したとしても、上記の問題を解決することはできない。
【０００７】
本発明は、上記課題を解決するためになされたものであり、１対の冷陰極管ランプを接続部によって電気的に接続した構成の光源装置において、冷陰極管ランプと接続部との間にアーク放電が発生しても、接続部が焼損するのを防ぐことができる光源装置を提供することを目的とする。
【課題を解決するための手段】
【０００８】
上記目的を達成するために請求項１の発明は、１対の冷陰極管ランプと、１対の冷陰極管ランプを電気的に直列に接続する接続部と、１対の冷陰極管ランプを点灯させるための高周波電圧を生成するインバータとを備え、インバータから１対の冷陰極管ランプに高周波電圧が供給されることにより、１対の冷陰極管ランプが点灯駆動される光源装置において、接続部の電圧が所定値以上に上昇したか否かを検出する電圧上昇検出手段と、電圧上昇検出手段により接続部の電圧が所定値以上に上昇したことが検出されたときに、インバータから冷陰極管ランプに高周波電圧が供給されるのを停止する保護動作を行う保護手段とを備えるものである。
【０００９】
請求項２の発明は、請求項１に記載の光源装置において、接続部が設けられたランプ接続用基板と、インバータが設けられたインバータ基板とをさらに備え、電圧上昇検出手段は、接続部の電圧を検出し、該検出した電圧をフィードバック信号電圧として出力する電圧検出部と、電圧検出部から出力されたフィードバック信号電圧に基いて、接続部の電圧が所定値以上に上昇したか否かを検出する上昇検出部とを有し、電圧検出部は、ランプ接続用基板に設けられ、上昇検出部は、インバータ基板に設けられ、電圧検出部と上昇検出部は、電気ケーブルを介して接続されているものである。
【００１０】
請求項３の発明は、請求項２に記載の光源装置において、電気ケーブルは、フレキシブルフラットケーブルであり、ランプ接続用基板とインバータ基板の各々に、フレキシブルフラットケーブルを接続するためのコネクタが設けられているものである。
【００１１】
請求項４の発明は、請求項３に記載の光源装置において、１対の冷陰極管ランプ及び接続部を複数組備え、電圧上昇検出手段は、複数組の１対の冷陰極管ランプ及び接続部に対応して、電圧検出部を複数有し、複数の電圧検出部は、１本のフィードバック信号ラインに並列に接続されており、該フィードバック信号ラインを介して、上昇検出部にフィードバック信号電圧を出力するものである。
【００１２】
請求項５の発明は、請求項４に記載の光源装置において、複数の電圧検出部は、１本のグランドラインに並列に接続されており、該グランドライン及びインバータ基板を介して、グランドに接続されているものである。
【発明の効果】
【００１３】
請求項１乃至請求項５の発明によれば、冷陰極管ランプと接続部との間にアーク放電が発生して、接続部の電圧が所定値以上に上昇すると、電圧上昇検出手段によって、接続部の電圧が所定値以上に上昇したことが検出され、保護手段によって、冷陰極管ランプへの高周波電圧の供給が停止される。これにより、冷陰極管ランプと接続部との間にアーク放電が発生しても、接続部が焼損する前に、冷陰極管ランプへの高周波電圧の供給を停止することができ、接続部が焼損するのを防ぐことができる。
【発明を実施するための最良の形態】
【００１４】
以下、本発明を具体化した実施形態による光源装置について図面を参照して説明する。図１（ａ）（ｂ）（ｃ）は、本実施形態による光源装置の構成を示す。光源装置１は、例えば、液晶テレビなどの液晶ディスプレイのバックライト光源として用いられる装置である。
【００１５】
光源装置１は、高周波電圧が供給されることにより点灯する複数の冷陰極管ランプ（ＣＣＦＬ）２と、冷陰極管ランプ２同士を電気的に接続する複数の接続部３と、複数の接続部３が設けられたランプ接続用基板４と、冷陰極管ランプ２に高周波電圧を供給するインバータ基板５とを備えている。
【００１６】
各冷陰極管ランプ２は、その一端側がコネクタ２１及び導電線２２を介してインバータ基板５に接続されており、その他端側が接続部３に接続されている。各接続部３は、ランプ接続用基板４に形成された導電パターンにより構成されており、１対の冷陰極管ランプ２ａ、２ｂを電気的に直列に接続している。
【００１７】
すなわち、光源装置１は、１対の冷陰極管ランプ２ａ、２ｂを１つの接続部３によって電気的に直列に接続した構成になっている。１対の冷陰極管ランプ２ａ、２ｂ、及び１対の冷陰極管ランプ２ａ、２ｂを電気的に直列に接続する１つの接続部３によって、擬似Ｕ字型冷陰極管ランプが構成されている。そして、光源装置１は、このように接続された１対の冷陰極管ランプ２ａ、２ｂ及び１つの接続部３（擬似Ｕ字型冷陰極管ランプ）を、複数組備えている。
【００１８】
また、光源装置１は、ランプ接続用基板４とインバータ基板５とを電気的に接続する電気ケーブルであるＦＦＣ（フレキシブルフラットケーブル）６と、光源装置１の動作を制御するシステム制御基板７と、これらを収納、支持する筺体８等を備えている。ランプ接続用基板４とインバータ基板５の各々には、ＦＦＣ６を接続するためのコネクタ６４、６５が設けられている。
【００１９】
ＦＦＣ６は、ランプ接続用基板４に設けられたコネクタ６４とインバータ基板５に設けられたコネクタ６５に接続されており、ランプ接続用基板４とインバータ基板５は、ＦＦＣ６によって電気的に接続されている。インバータ基板５とシステム制御基板７は、不図示の導電線によって電気的に接続されている。
【００２０】
このような構成の光源装置１は、システム制御基板７による制御のもと、インバータ基板５から導電線２２及びコネクタ２１を介して各冷陰極管ランプ２に高周波電圧を供給（冷陰極管ランプ２ａと冷陰極管ランプ２ｂに（すなわち擬似Ｕ字型冷陰極管ランプの両端に）逆相の高周波電圧を供給）することにより、各冷陰極管ランプ２を点灯駆動するようになっている。
【００２１】
図２は、光源装置１の電気的ブロック構成を示す。光源装置１は、上述の構成に加え、冷陰極管ランプ２を点灯させるための高周波電圧を生成するインバータ３１と、インバータ３１を駆動するインバータ駆動回路３２と、インバータ駆動回路３２によるインバータ３１の駆動を制御するインバータ制御回路３３とを備えている。また、光源装置１は、接続部３の電圧を検出する電圧検出回路３４と、電圧検出回路３４の検出した電圧に基いて、接続部３の電圧が所定値以上に上昇したか否かを検出する上昇検出回路３５と、光源装置１の動作を制御するマイクロコンピュータ３６とを備えている。光源装置１は、複数組の１対の冷陰極管ランプ２ａ、２ｂ及び１つの接続部３（擬似Ｕ字型冷陰極管ランプ）に対応して、インバータ３１及び電圧検出回路３４を複数備えている。
【００２２】
インバータ３１、インバータ駆動回路３２、インバータ制御回路３３、及び上昇検出回路３５は、インバータ基板５に設けられている。電圧検出回路３４は、ランプ接続用基板４にパターン実装されて、ランプ接続用基板４に設けられている。電圧検出回路３４と上昇検出回路３５は、ＦＦＣ６を介して電気的に接続されている。マイクロコンピュータ３６は、システム制御基板７に設けられている。
【００２３】
インバータ３１は、トランスを備えており、インバータ駆動回路３２からＰＷＭ変調電流が供給されることにより、そのＰＷＭ変調電流を用いてトランスによって高周波電圧を生成し、インバータ端子３１ａ、３１ｂから互いに逆相の高周波電圧を出力する。インバータ端子３１ａ、３１ｂには、インバータ基板５（インバータ基板５に形成された導電パターン）、導電線２２、及びコネクタ２１を介して、冷陰極管ランプ２ａ、２ｂの一端側が接続されている。冷陰極管ランプ２ａと冷陰極管ランプ２ｂには、インバータ３１からインバータ基板５、導電線２２、及びコネクタ２１を介して互いに逆相の高周波電圧が供給される。
【００２４】
インバータ駆動回路３２は、スイッチング素子を備えており、インバータ制御回路３３から高周波パルス信号が供給されることにより、その高周波パルス信号によってスイッチング素子が高周波でスイッチング動作して、ＰＷＭ変調電流を生成し、そのＰＷＭ変調電流をインバータ３１に供給する。インバータ制御回路３３は、高周波パルス信号を生成し、その高周波パルス信号をインバータ駆動回路３２に供給する。インバータ制御回路３３による高周波パルス信号のインバータ駆動回路３２への供給／供給停止は、マイクロコンピュータ３６によって制御される。
【００２５】
インバータ制御回路３３からインバータ駆動回路３２に高周波パルス信号が供給されることにより、インバータ駆動回路３２によりＰＷＭ変調電流が生成されて、インバータ駆動回路３２からインバータ３１にＰＷＭ変調電流が供給される。これにより、インバータ３１により高周波電圧が生成されて、インバータ３１から冷陰極管ランプ２ａ、２ｂに高周波電圧が供給され、冷陰極管ランプ２ａ、２ｂが点灯駆動される。また、インバータ制御回路３３からインバータ駆動回路３２への高周波パルス信号の供給が停止すると、インバータ駆動回路３２によるＰＷＭ変調電流の生成が停止して、インバータ駆動回路３２からインバータ３１へのＰＷＭ変調電流の供給が停止する。これにより、インバータ３１による高周波電圧の生成が停止して、インバータ３１から冷陰極管ランプ２ａ、２ｂへの高周波電圧の供給が停止し、冷陰極管ランプ２ａ、２ｂが消灯する。
【００２６】
電圧検出回路３４は、接続部３の電圧を検出し、その検出した電圧をフィードバック信号電圧として出力する。複数の電圧検出回路３４は、１本のフィードバック信号ライン３７に並列に接続されており、１本のフィードバック信号ライン３７を介して、上昇検出回路３５に接続されている。すなわち、電圧検出回路３４は、１本のフィードバック信号ライン３７を介して、上昇検出回路３５にフィードバック信号電圧を出力する。また、複数の電圧検出回路３４は、１本のグランドライン３８に並列に接続されており、１本のグランドライン３８を介して、グランドに接続されている。
【００２７】
上昇検出回路３５は、電圧検出回路３４から出力されたフィードバック信号電圧に基いて、接続部３の電圧が所定値以上に上昇したか否かを検出し、接続部３の電圧が所定値以上に上昇したことを検出したときに、プロテクト信号を出力する。上昇検出回路３５は、プロテクトライン３９を介して、マイクロコンピュータ３６に接続されており、プロテクトライン３９を介して、マイクロコンピュータ３６にプロテクト信号を出力する。電圧検出回路３４及び上昇検出回路３５によって、電圧上昇検出手段が構成されている。電圧検出回路３４及び上昇検出回路３５の詳細については後述する。
【００２８】
マイクロコンピュータ３６は、上昇検出回路３５により接続部３の電圧が所定値以上に上昇したことが検出されたとき（すなわち、上昇検出回路３５からプロテクト信号が出力されたとき）に、インバータ３１から冷陰極管ランプ２ａ、２ｂに高周波電圧が供給されるのを停止させる保護動作を行う。このとき、マイクロコンピュータ３６は、インバータ３１による高周波電圧の生成を停止させることにより、冷陰極管ランプ２ａ、２ｂに高周波電圧が供給されるのを停止させる。つまり、マイクロコンピュータ３６は、インバータ制御回路３３による高周波パルス信号のインバータ駆動回路３２への供給を停止させる。これにより、インバータ駆動回路３２によるＰＷＭ変調電流の生成が停止されて、インバータ駆動回路３２からインバータ３１へのＰＷＭ変調電流の供給が停止され、そして、インバータ３１による高周波電圧の生成が停止されて、インバータ３１から冷陰極管ランプ２ａ、２ｂに高周波電圧が供給されるのが停止される。マイクロコンピュータ３６によって、保護手段が構成されている。
【００２９】
上記電圧検出回路３４及び上昇検出回路３５について説明する。電圧検出回路３４は、コンデンサＣ１、Ｃ２と、抵抗Ｒ１、Ｒ２と、ダイオードＤ１とを備えている。コンデンサＣ１は、一端が接続部３に接続されている。コンデンサＣ２は、一端がコンデンサＣ１の他端に接続されており、他端がグランドライン３８に接続（グランドライン３８を介してグランドに接続）されている。抵抗Ｒ１は、一端がコンデンサＣ１とコンデンサＣ２との間に接続されている。抵抗Ｒ２は、一端が抵抗Ｒ１の他端に接続されており、他端がグランドライン３８に接続（グランドライン３８を介してグランドに接続）されている。ダイオードＤ１は、アノードが抵抗Ｒ１と抵抗Ｒ２との間に接続されており、カソードがフィードバック信号ライン３７に接続（フィードバック信号ライン３７を介して上昇検出回路３５に接続）されている。冷陰極管ランプ２ａと接続部３との接続点、及び冷陰極管ランプ２ｂと接続部３との接続点は、擬似グランド点となっている。
【００３０】
上昇検出回路３５は、トランジスタＴｒ１と、コンデンサＣ３、Ｃ４、Ｃ５と、抵抗Ｒ３とを備えている。トランジスタＴｒ１は、ベースがフィードバック信号ライン３７に接続され、コレクタがプロテクトライン３９に接続（プロテクトライン３９を介してマイクロコンピュータ３６に接続）され、エミッタがグランドに接続されている。コンデンサＣ３、Ｃ４、Ｃ５は、一端がフィードバック信号ライン３７とトランジスタＴｒ１のベースとの間に接続され、他端がグランドに接続されている。抵抗Ｒ３は、コンデンサＣ３に並列に接続されている。
【００３１】
このような構成の電圧検出回路３４及び上昇検出回路３５により、接続部３の電圧は、コンデンサＣ１、Ｃ２及び抵抗Ｒ１、Ｒ２によって分圧され、その分圧された電圧がダイオードＤ１によって整流化され、その整流化された電圧がフィードバック信号電圧としてフィードバック信号ライン３７に出力される。図３に示すように、冷陰極管ランプ２と接続部３との接続に接続不良が発生（冷陰極管ランプ２と接続部３との間にアーク放電（スパーク）が発生）すると、冷陰極管ランプ２と接続部３との接続に接続不良が発生していない正常時と比較して、接続部３（擬似グランド点）の電圧（交流電圧）が数倍程度大きくなり、フィードバック信号電圧（ダイオードＤ１により整流化された後の脈流電圧）が上昇する。
【００３２】
そして、フィードバック信号ライン３７に出力されたフィードバック信号電圧は、コンデンサＣ３、Ｃ４、Ｃ５、及び抵抗Ｒ３によって平滑化され、その平滑化されたフィードバック信号電圧の大きさに応じて、トランジスタＴｒ１がオン、オフする。コンデンサＣ３、Ｃ４、Ｃ５、及び抵抗Ｒ３によって平滑化されたフィードバック信号電圧は、フィードバック信号ライン３７のフィードバック信号電圧に対応し、接続部３の電圧に対応する。従って、接続部３の電圧に応じて、トランジスタＴｒ１がオン、オフすることになる。
【００３３】
トランジスタＴｒ１は、接続部３の電圧が所定値（冷陰極管ランプ２と接続部３との間にアーク放電が発生したときの電圧値）以上のときに、オンし、接続部３の電圧が所定値未満のときに、オフする。トランジスタＴｒ１がオンのときには、トランジスタＴｒのコレクタの電圧レベルがローレベルとなり、電圧レベルがローレベルの信号がプロテクトライン３９に出力され、トランジスタＴｒ１がオフのときには、トランジスタＴｒのコレクタの電圧レベルがハイレベルとなり、電圧レベルがハイレベルの信号がプロテクトライン３９に出力される。
【００３４】
つまり、冷陰極管ランプ２と接続部３との接続に接続不良が発生していない正常時には、トランジスタＴｒ１はオフしており、プロテクトライン３９に、接続部３の電圧が正常値であることを示す正常信号としてハイレベルの信号が出力される。そして、冷陰極管ランプ２と接続部３との接続に接続不良が発生すると、トランジスタＴｒ１がオンして、プロテクトライン３９に、接続部３の電圧が所定値以上に上昇したことを示すプロテクト信号として、ローレベルの信号が出力される。電圧検出回路３４及び上昇検出回路３５は、このようにして、接続部３の電圧が所定値以上に上昇したか否かを検出する。
【００３５】
このような構成の光源装置１によれば、冷陰極管ランプ２と接続部３との間にアーク放電が発生して、接続部３の電圧が所定値以上に上昇すると、電圧検出回路３４及び上昇検出回路３５によって、接続部３の電圧が所定値以上に上昇したことが検出され、マイクロコンピュータ３６によって、冷陰極管ランプ２への高周波電圧の供給が停止される。これにより、冷陰極管ランプ２と接続部３との間にアーク放電が発生しても、接続部３が焼損する前に、冷陰極管ランプ２への高周波電圧の供給を停止することができ、接続部３が焼損するのを防ぐことができる。
【００３６】
なお、本発明は、上記実施形態の構成に限られず、種々の変形が可能である。例えば、上昇検出回路は、ランプ接続用基板に設けられていてもよい。また、一１の冷陰極管ランプを電気的に接続する接続部は、ランプ接続用基板に形成された導電パターンに限られず、金属板により構成されていてもよい。また、本発明の光源装置は、液晶ディスプレイのバックライト光源に限られず、他の用途の光源として用いることも可能である。
【図面の簡単な説明】
【００３７】
【図１】（ａ）は本発明の一実施形態に係る光源装置の概略構成を示す背面側から見た断面図、（ｂ）は同下側から見た断面図、（ｃ）は同横側から見た断面図。
【図２】同光源装置の電気的ブロック構成図。
【図３】同光源装置の接続部の電圧の電圧波形及びフィードバック信号電圧の電圧波形を示す図。
【図４】（ａ）は従来の光源装置の背面側から見た断面図、（ｂ）は同下側から見た断面図、（ｃ）は同横側から見た断面図。
【符号の説明】
【００３８】
１    光源装置
２、２ａ、２ｂ    冷陰極管ランプ
３    接続部
４    ランプ接続用基板
５    インバータ基板
６    ＦＦＣ（フレキシブルフラットケーブル）
７    システム制御基板
８    筺体
２１    コネクタ
２２    導電線
３１    インバータ
３２    インバータ駆動回路
３３    インバータ制御回路
３４    電圧検出回路（電圧上昇検出手段）
３５    上昇検出回路（電圧上昇検出手段）
３６    マイクロコンピュータ（保護手段）
３７    フィードバック信号ライン
３８    グランドライン
３９    プロテクトライン
６４、６５  コネクタ
【図１】
2010086921.tif 000003
【図２】
2010086921.tif 000004
【図４】
2010086921.tif 000005
【図３】
2010086921.tif 000006